(57)【要約】      （修正有）【課題】棺台および棺台が搭載された車両内において視覚的に高い演出効果を得ることができる棺台およびそれを備えた棺搬送車を提供する。【解決手段】棺台１は、棺や担架等が載せられる上側の表面部３０を構成するとともに、所定の水平面としての表面３０ａをなす透明板３３と、透明板３３の側方に設けられ、透明板３３の側面に向けて光を照射するＬＥＤライト６０と、透明板３３の下側に設けられ、透明板３３を透過したＬＥＤライト６０からの光を反射させる反射面３２ａを形成する化粧板３２とを備える。【選択図】図３
0003189817.tif 000002
【実用新案登録請求の範囲】
【請求項１】
棺や担架等が載せられる上側の表面部を構成するとともに、所定の水平面をなす透明板部と、
前記透明板部の側方に設けられ、前記透明板部の側面に向けて光を照射する光源部と、
前記透明板部の下側に設けられ、前記透明板部を透過した前記光源部からの光を反射させる反射面を形成する反射面部と、を備えた、
棺台。
【請求項２】
前記光源部は、帯状の基材に複数の光源が配設されたテープライトであり、前記透明板部の側面に対向するように設けられている、
請求項１に記載の棺台。
【請求項３】
前記透明板部により表面部が構成される基部と、
前記基部に対して水平方向にスライド移動可能に設けられた移動部と、を有し、
前記基部および前記移動部によって平面視で略矩形状の外形をなし、
前記移動部は、前記外形における短手方向の中間部において所定の幅を有しながら前記外形の長手方向の中途部までの範囲を占めるように設けられている、
請求項１または請求項２に記載の棺台。
【請求項４】
前記透明板部と前記反射面部との間に、所定の模様が描かれた装飾部材が介装されている、
請求項１〜３のいずれか１項に記載の棺台。
【請求項５】
請求項１〜４のいずれか１項に記載の棺台を備えた棺搬送車。
【考案の詳細な説明】
【技術分野】
【０００１】
本考案は、例えば車両に搭載されて用いられる棺台およびそれを備えた棺搬送車に関する。
【背景技術】
【０００２】
遺体が納められた棺や担架等を搬送するための霊柩車や寝台車等の棺搬送車においては、棺や担架等が載せられる棺台が搭載される。かかる棺搬送車においては、例えばバン型の車両における運転席および助手席の後方の（運転席より後方の）車内スペースに、棺台が設置される。具体的には、例えば特許文献１に示されているように、運転席より後方の車内スペースにおいて、左右一側略半分のスペースに、平面視略矩形状の棺台が、車両の前後方向を長手方向として設置される。特許文献１には、運転席より後方の車内スペースにおいて、助手席の後方に位置する座席を残し、運転席の後方に位置する座席を撤去して、棺台の設置スペースを確保した構成が開示されている。
【０００３】
このように棺搬送車に搭載される棺台には、棺が載せられる上側の表面部に、棺台に対する棺の搬入・搬出を補助するためのローラが設けられているものがある。ローラは、棺台上に載せられた棺の底面に接触し、棺台上における棺の移動をスムーズなものとする。具体的には、このローラは、特許文献１にも記載されているように、例えば、長手方向を回転軸方向とする円柱状ないし棒状の部材であり、棺台の幅方向（短手方向）の中間部において棺台の幅方向を回転軸方向として回転自在に支持され、棺台の長手方向に適宜間隔をあけて複数設けられる。
【０００４】
このように複数のローラが設けられる棺台の表面部においては、ローラ以外の部分は、その大部分が棺台の表面（上面）として所定の水平面をなす水平面部となる。つまり、ローラは、棺台上に載せられる棺の底面に接触するように、棺台の水平面部の表面に対して上端部をわずかに突出させた状態で支持される。このような棺台の表面部の大部分を占める水平面部は、一般的に、例えばステンレス鋼等の金属製の部材により形成されている。
【先行技術文献】
【特許文献】
【０００５】
【特許文献１】特開２０１３−２０９００５号公報
【考案の概要】
【考案が解決しようとする課題】
【０００６】
上述したような従来の棺台は、最も人の目に触れる部分である表面部の大部分をステンレス鋼等の金属面とすることから、視覚的に無機的で冷たい印象を与える。そこで、例えば、棺台の水平面部を構成する部材として、金属製の部材に代わりに木製の部材や樹脂製の部材等を用いることができるが、棺台の視覚的な印象が単調で素っ気無いことには変わりない。
【０００７】
本考案は、上記のような問題に鑑みてなされたものであり、棺台および棺台が搭載された車両内において視覚的に高い演出効果を得ることができる棺台およびそれを備えた棺搬送車を提供することを目的とする。
【課題を解決するための手段】
【０００８】
本考案のうち第１の態様に係る棺台は、棺や担架等が載せられる上側の表面部を構成するとともに、所定の水平面をなす透明板部と、前記透明板部の側方に設けられ、前記透明板部の側面に向けて光を照射する光源部と、前記透明板部の下側に設けられ、前記透明板部を透過した前記光源部からの光を反射させる反射面を形成する反射面部と、を備えたものである。
【０００９】
本考案のうち第２の態様に係る棺台は、第１の態様に係る棺台において、前記光源部は、帯状の基材に複数の光源が配設されたテープライトであり、前記透明板部の側面に対向するように設けられているものである。
【００１０】
本考案のうち第３の態様に係る棺台は、第１の態様または第２の態様に係る棺台において、前記透明板部により表面部が構成される基部と、前記基部に対して水平方向にスライド移動可能に設けられた移動部と、を有し、前記基部および前記移動部によって平面視で略矩形状の外形をなし、前記移動部は、前記外形における短手方向の中間部において所定の幅を有しながら前記外形の長手方向の中途部までの範囲を占めるように設けられているものである。
【００１１】
本考案のうち第４の態様に係る棺台は、第１〜第３のいずれかの態様に係る棺台において、前記透明板部と前記反射面部との間に、所定の模様が描かれた装飾部材が介装されているものである。
【００１２】
本考案に係る棺搬送車は、第１〜第４のいずれかの態様に係る棺台を備えたものである。
【考案の効果】
【００１３】
本考案によれば、棺台および棺台が搭載された車両内において視覚的に高い演出効果を得ることができる。
【図面の簡単な説明】
【００１４】
【図１】本考案の一実施形態（第１実施形態）に係る棺搬送車の内部の構成を示す平面図である。
【図２】本考案の一実施形態に係る棺台を示す平面図である。
【図３】本考案の一実施形態に係る棺台を示す正面断面図である。
【図４】本考案の一実施形態に係る棺台を示す側面断面図である。
【図５】本考案の一実施形態に係る棺台の土台部を示す平面図である。
【図６】本考案の一実施形態に係る棺台の棺台レールを引き出した状態を示す平面図である。
【図７】本考案の一実施形態に係る棺台の部分拡大断面図である。
【図８】本考案の一実施形態に係る棺台の作用についての説明図である。
【図９】本考案の別実施形態（第２実施形態）に係る棺台の部分拡大断面図である。
【図１０】本考案の別実施形態に係る棺台の構成についての説明図である。
【考案を実施するための形態】
【００１５】
本考案は、棺や担架等が載せられる棺台において、棺等が載せられる表面部を構成する部材として透明な板状部材を用いるとともに、その透明な板状部材の側面に対して光を照射し、その光を板状部材の下側で反射させて映り込ませることにより、視覚的に高い演出効果を得ようとするものである。以下、本考案の実施の形態を説明する。
【００１６】
まず、本実施形態に係る棺台１を備えた棺搬送車１０の全体構成について、図１を用いて説明する。なお、図１は、本実施形態に係る棺搬送車１０の内部の構成を模式的に示す平面図である。図１に示すように、棺搬送車１０は、棺や担架等を搬送するための霊柩車や寝台車等として用いられるバン型（ワンボックス型）の車両である。なお、図１における左側が棺搬送車１０の前側であり、同図における右側が棺搬送車１０の後側である。棺搬送車１０は、車両の前部の右側に設けられた運転席２と、車両の前部の左側、つまり運転席２の左側に設けられた助手席３とを備える。助手席３の後方には、後方席４を備える。後方席４は、運転席２および助手席３の後方の車内スペース５において、前部の左側に設けられている。
【００１７】
棺搬送車１０は、棺や担架等（以下単に「棺」ともいう。）が載せられる棺台１を備える。棺台１は、運転席２より後方の車内スペース５において、運転席２の後方となる右側の部分に設けられている。棺台１は、平面視（上面視）で略矩形状の外形を有し、その長手方向を車両の前後方向（図１における左右方向）に沿わせて設けられている。
【００１８】
棺台１は、長手方向の寸法として、運転席２より後方の車内スペース５において前後方向の略全体にわたる長さを有する。すなわち、運転席２および助手席３の後方の車内スペース５は、平面視で車両の前後方向を長手方向とする略矩形状をなす空間であり、かかる空間の右半分の略全体を占めるように、棺台１が設けられる。そして、棺台１の前部の左側方に、後方席４が位置する。なお、車内スペース５は、例えば、運転席２および助手席３を前から１列目としてこれらの後方に２列目、３列目と２座席ずつ計４席の既存の座席のうち、後方席４以外の座席、つまり２列目の右側の座席、および３列目の左右の２つの座席が取り外されることにより確保される。
【００１９】
棺台１に対する棺（図示略）の積み降ろしは、棺搬送車１０の車両の後側に設けられたバックドア６を上方に開いた状態で、車両の後方開口部から行われる。
【００２０】
［棺台の第１実施形態］
以下、第１実施形態に係る棺台１について、図２から図８を用いて説明する。なお、以下の説明では、上述のとおり棺搬送車１０に搭載される本実施形態の棺台１において、その長手方向（図２における左右方向）のうち、棺搬送車１０の前側となる側（図２において右側）を前側とし、棺搬送車１０の後側となる側（同図左側）を後側とする。また、本実施形態の棺台１において、その平面視形状における短手方向（図２における上下方向、図３における左右方向）を幅方向または左右方向とする。また、図３における左右方向が沿う方向を水平方向とし、図３における上下方向を鉛直方向とする。また、図３は、図２におけるＡ−Ａ矢視断面図であり、図４は、図３におけるＢ−Ｂ矢視断面図である。棺台１は、棺搬送車１０の運転席２より後方の車内スペース５にて、後方席４の右側の側方に設けられる（図１参照）。
【００２１】
本実施形態の棺台１は、略矩形厚板状ないし略直方体状の外形を有する土台部２０と、土台部２０上に設けられ、棺が載せられる上側の部分である表面部３０とを有する。また、本実施形態の棺台１は、部分的に移動可能に設けられた棺台レール４０を有する。つまり、棺台１は、車両側（棺搬送車１０側）に固定された状態で設けられる基部５０に対して相対的に移動する部分として棺台レール４０を有する。
【００２２】
棺台レール４０は、棺台１の長手方向に沿って移動可能な部分である。棺台レール４０は、棺台１の幅方向の中間部において所定の幅を有しながら棺台１の長手方向の後側の所定の範囲にわたって設けられている。
【００２３】
本実施形態では、図２および図６に示すように、棺台レール４０は、棺台１の幅方向については、棺台１の全幅の略１／３程度の幅寸法を有し、棺台１の長手方向については、棺台１の全長の略３／４程度の長さ寸法を有する。基部５０においては、棺台レール４０が収容される空間部分を形成する溝部５０ａが形成されている（図６参照）。溝部５０ａは、平面視において棺台レール４０の外形寸法に沿う形状・寸法を有する。すなわち、棺台レール４０は、溝部５０ａに収納された状態（図２参照）で、棺台１において基部５０とともに平面視で略矩形状の外形を形成し、かかる状態から後方に引き出されることで、後方に突出した状態（図６参照）となる。以下、棺台１が備える各部について詳細に説明する。
【００２４】
土台部２０について説明する。土台部２０は、車両側（棺搬送車１０側）に固定された状態で設けられる。図３から図５に示すように、土台部２０は、棺台１の幅方向の両側の縁部にて棺台１の長手方向に沿って配される一対の第１縦枠材２１と、棺台１の幅方向に沿って配され一対の第１縦枠材２１間に架け渡された状態で設けられる複数の第１横枠材２２とを有する。第１縦枠材２１および第１横枠材２２は、例えばステンレス鋼等の金属製の部材である。
【００２５】
第１縦枠材２１は、図３に示すように、Ｌ字状の横断面形状を有する直線状の山形鋼（アングル）であり、棺台１の（土台部２０の）長手方向の全長に略一致する長さを有する。第１縦枠材２１は、横断面形状のＬ字における一辺側の帯板状の部分であって水平面に沿う横板部２１ａと、Ｌ字における他辺側の帯板状の部分であって鉛直面に沿う縦板部２１ｂとからなる。一対の第１縦枠材２１は、横板部２１ａ側を下側として、土台部２０の左右両側において横板部２１ａ同士を左右方向の内側に向けて突き合わせる向き、つまり起立した状態となる縦板部２１ｂの横板部２１ａが突出する側の板面同士を対向させる向きで設けられ、土台部２０の左右両側の縁部を構成する。
【００２６】
第１横枠材２２は、略矩形状の横断面形状を有する角パイプであり、棺台１の（土台部２０の）幅方向の全長に略一致する長さを有する。第１横枠材２２は、その長手方向の両端部を左右の第１縦枠材２１の横板部２１ａに載せた状態で、左右の第１縦枠材２１間に架設される。第１横枠材２２は、第１縦枠材２１に対して溶接やボルト等の締結部材等によって固定される。本実施形態では、土台部２０において、６本の第１横枠材２２が、土台部２０の長手方向に所定の間隔を隔てて設けられており、そのうち棺台１の前後方向の両側の第１横枠材２２は、一対の第１縦枠材２１の端部間に架設されている（図４、図５参照）。
【００２７】
また、土台部２０は、棺台レール４０を左右両側から支持するための壁面部を構成する一対の第２縦枠材２３を有する。第２縦枠材２３は、図３に示すように、Ｌ字状の横断面形状を有する直線状の山形鋼（アングル）であり、棺台レール４０の長手方向の全長に略一致する長さを有し、棺台１において棺台レール４０が設けられる範囲に対応して設けられる。第２縦枠材２３は、例えばステンレス鋼等の金属製の部材である。
【００２８】
第２縦枠材２３は、横断面形状のＬ字における一辺側の帯板状の部分であって水平面に沿う横板部２３ａと、Ｌ字における他辺側の帯板状の部分であって垂直面に沿う縦板部２３ｂとからなる。一対の第２縦枠材２３は、横板部２３ａ側を下側として、横板部２３ａを左右方向の外側に突出させる向き、つまり起立した状態となる縦板部２３ｂの横板部２３ａが突出する側と反対側の板面同士を対向させる向きで設けられる。
【００２９】
このように設けられた左右の第２縦枠材２３の縦板部２３ｂが、棺台レール４０を左右両側から支持するための壁面部となる。第２縦枠材２３は、横板部２３ａを第１横枠材２２上に載せた状態で、第１横枠材２２に対して溶接やボルト等の締結部材等によって固定される。本実施形態では、第２縦枠材２３は、平面視で６本の第１横枠材２２のうち後側の３本の第１横枠材２２に対して交差するように設けられている（図５参照）。
【００３０】
一対の第２縦枠材２３は、縦板部２３ｂ間の間隔（左右方向の寸法）が棺台レール４０の幅方向の寸法と略同じとなるように設けられる。また、一対の第２縦枠材２３の前端部間には、第２縦枠材２３の縦板部２３ｂと略同じ幅寸法の帯板状の部材である前壁部材２５が、長手方向を左右方向に向けて、かつ板面を前後方向に向けて架設されている。このように土台部２０を構成する部材として設けられる一対の第２縦枠材２３（の縦板部２３ｂ）と、第２縦枠材２３の前端部間に架設される前壁部材２５とにより、基部５０において棺台レール４０を収納する溝部５０ａが形成される。つまり、溝部５０ａは、一対の第２縦枠材２３（の縦板部２３ｂ）および前壁部材２５によって左右両側および前側の三方の壁面により形成される。
【００３１】
また、土台部２０は、平面視で第１横枠材２２に重なるように第１横枠材２２の上側に設けられる複数の第２横枠材２４を有する。第２横枠材２４は、略矩形状の横断面形状を有するとともに第１横枠材２２と略同じ幅寸法を有する角パイプであり、第１横枠材２２に沿って配される。第２横枠材２４は、例えばステンレス鋼等の金属製の部材である。
【００３２】
第２横枠材２４は、前後方向について棺台レール４０が設けられる範囲においては、左右方向について棺台レール４０が設けられる範囲の外側の部分に設けられる。具体的には、第２横枠材２４は、第１横枠材２２の中間部を除く左右の両側の部分に重なるように、各第１横枠材２２に対して２本設けられている。詳細には、第２横枠材２４は、第１縦枠材２１の縦板部２１ｂと第２縦枠材２３の縦板部２３ｂとの間に挟まれるように、かつ左右方向の内側の端部を第２縦枠材２３の横板部２３ａ上に載せた状態で設けられている。第２横枠材２４は、第１縦枠材２１の縦板部２１ｂと第２縦枠材２３の縦板部２３ｂとの間の間隔に応じた長さを有し、第１縦枠材２１および第２縦枠材２３に対して溶接やボルト等の締結部材等によって固定される。また、棺台レール４０が設けられる範囲よりも前側の部分においては、本実施形態の土台部２０が備える前側の３本の第１横枠材２２上に設けられる第２横枠材２４は、第１横枠材２２と一致する長さを有し、各第１横枠材２２に対して１本設けられている。
【００３３】
以上のような土台部２０を備える棺台１においては、前端部、つまり奥側の端部に、棺台１に乗せられた棺が前方へ移動することを規制する突当て板２６が設けられている。突当て板２６は、棺台１における棺の載置面よりも上側に突出する板状の部分であり、棺台１の前端部において棺台１の幅方向の全体にわたって設けられている。突当て板２６は、例えば、土台部２０の前端部において左右方向に沿って配されるＬ字状の山形鋼の一部によって構成される。
【００３４】
また、土台部２０の幅方向の両側、つまり左右両側には、棺台１に載せられる棺の左右方向のずれを規制するためのガイド壁２７が設けられている。ガイド壁２７は、土台部２０の左右両側の縁に沿って立設された板状の部分であり、棺台１における棺の載置面よりも上側に突出する。本実施形態では、ガイド壁２７は、第１縦枠材２１の縦板部２１ｂの上端部によって構成されている。
【００３５】
次に、棺台レール４０の詳細について説明する。上述のとおり棺台レール４０は、土台部２０を構成する一対の第２縦枠材２３の縦板部２３ｂ間に支持された状態で設けられる。棺台レール４０は、複数の支持部材等によって構成される本体部４１と、本体部４１に支持される複数のローラ４２とを有する。
【００３６】
本体部４１は、左右一対のガイド溝フレーム４３と、一対のガイド溝フレーム４３間に架け渡された状態で設けられる複数の架設板４４とを含む。ガイド溝フレーム４３は、Ｃ字状あるいはコ字状の横断面形状を有する直線状の溝形鋼により構成されており、棺台レール４０の長手方向の略全長に一致する長さを有する。ガイド溝フレーム４３は、横断面形状において、互いに平行な２辺をなす帯板状の部分である側面部４３ａ，４３ｂと、これら側面部４３ａ，４３ｂの一側の端部同士を繋ぐ帯板状の部分である底面部４３ｃとからなる。そして、一対のガイド溝フレーム４３は、底面部４３ｃ側を左右方向の内側に向けて、つまり横断面形状のＣ字形状あるいはコ字形状の開放側を左右方向の外側に向けるように設けられ、棺台レール４０の左右両側の縁部を構成する。
【００３７】
ローラ４２は、棺台１を構成する表面部３０の上面である表面３０ａに対して上端部を突出させた状態で設けられる。ローラ４２は、長手方向を回転軸方向とする円柱状ないし棒状の部材であり、回転軸方向を左右方向として左右のガイド溝フレーム４３の底面部４３ｃ間に架設された状態で図示せぬ軸支部によって回転自在に支持されている。
【００３８】
本実施形態の棺台レール４０においては、５本のローラ４２が、棺台レール４０の長手方向に適宜間隔をあけて設けられている。このように設けられるローラ４２は、棺台１上に載せられた棺の底面に接触し、棺台１上における棺の長手方向に沿う移動をスムーズなものとして棺の搬入・搬出を補助する。
【００３９】
本体部４１を構成する架設板４４は、矩形板状の部材であり、同じく本体部４１を構成するガイド溝フレーム４３間において、水平面をなしながら複数のローラ４２の間の隙間を適宜の範囲で塞ぐように設けられている。複数の架設板４４の一部には、棺台１に載せられた棺が後方へ移動することを規制する所定の後側ストッパ（図示略）を支持するためのストッパ支持孔４４ａが、前後方向（棺台レール４０の長手方向）に所定の間隔を隔てて複数設けられている。本実施形態では、左右方向の中央の位置に９箇所のストッパ支持孔４４ａが前後方向に沿って一列に並ぶように設けられている。
【００４０】
ストッパ支持孔４４ａに支持される後側ストッパは、ストッパ支持孔４４ａに差し込まれる部分と、棺台１上に載せられた棺の後端面に接触する支持面を形成する部分とを有する。このような構成によれば、棺台１上に載せられる棺のサイズに応じて、後側ストッパを差し込むストッパ支持孔４４ａの選択により、棺の後端の支持位置が調整される。このようにストッパ支持孔４４ａに差し込まれる後側ストッパは、棺台１の前端に設けられた突当て板２６とともに、棺台１上に載せられた棺の前後方向の移動を規制するストッパとして機能する。
【００４１】
棺台レール４０は、棺台１に対する棺の積み降ろしに際して、後方（図２において左方）に引き出されるように、水平方向にスライド移動するように設けられている。棺台レール４０は、所定のレール構造によって移動可能に支持される。
【００４２】
具体的には、図３に示すように、棺台レール４０は、ガイド溝フレーム４３をガイドレールとして、このガイド溝フレーム４３の溝内に位置する複数のガイドローラ４５によって、一対の第２縦枠材２３の縦板部２３ｂ間において、棺台１の長手方向に沿って水平に移動可能に支持されている。
【００４３】
ガイドローラ４５は、円盤状の部材であり、第２縦枠材２３の縦板部２３ｂに対して、左右方向（棺台１の幅方向）を回転軸方向とするように、縦板部２３ｂを貫通する軸支部４５ａによって回転自在に支持されている。ガイドローラ４５は、棺台レール４０を構成するガイド溝フレーム４３の上側の側面部４３ａの内側（下側）の面に接触した状態で、棺台レール４０を支持する。また、図示は省略するが、一部のガイドローラ４５は、ガイド溝フレーム４３の下側の側面部４３ｂの内側（上側）の面に接触した状態で、棺台レール４０を支持する。つまり、ガイドローラ４５は、ガイド溝フレーム４３に対して上側の側面部４３ａの下側の面、または下側の側面部４３ｂの上側の面に接触した状態で、棺台レール４０の移動にともない回転する。このように、棺台レール４０を支持するガイドローラ４５として、ガイド溝フレーム４３の上側の側面部４３ａに接触するものと下側の側面部４３ｂに接触するものとを設けることにより、棺台レール４０のガタツキを防止することが可能となる。
【００４４】
本実施形態では、ガイドローラ４５としては、同軸位置に設けられる左右一対のガイドローラ４５が、棺台１の長さ方向に適宜間隔を隔てて９組配設されている。これら９組のガイドローラ４５のうちの一部の組が、ガイド溝フレーム４３の上側の側面部４３ａに接触する軸位置に支持され、残りの組が、ガイド溝フレーム４３の下側の側面部４３ｂに接触する軸位置に支持される。
【００４５】
また、棺台レール４０には、図３に示すように、ガイド溝フレーム４３を介したガイドローラ４５による支持を補助するための補助ガイドローラ４６が設けられている。補助ガイドローラ４６は、円盤状の部材であり、ガイド溝フレーム４３の下側の側面部４３ｂに対して、上下方向を回転軸方向とするように側面部４３ｂを貫通する軸支部４６ａによって回転自在に支持されている。
【００４６】
補助ガイドローラ４６は、土台部２０を構成する第２縦枠材２３の縦板部２３ｂの内側の（横板部２３ａが折れ曲がる側と反対側の）壁面に接触した状態となる。つまり、補助ガイドローラ４６は、第２縦枠材２３の縦板部２３ｂの内側の壁面に接触した状態で、棺台レール４０の移動にともない回転する。補助ガイドローラ４６は、例えば、棺台レール４０の長手方向についての位置を共通とする左右一対を組として、棺台レール４０の長手方向に適宜間隔を隔てて複数組設けられる。
【００４７】
また、棺台レール４０の本体部４１においては、後端面４１ａが形成されており、この後端面４１ａに、棺台レール４０を引き出したり押し戻したりするための取手４７が設けられている。また、棺台レール４０は、基部５０の溝部５０ａに収納された状態（図２参照）、および後端部を基部５０よりも後方に突出させるように引き出された状態（図６参照）の各状態で、図示せぬロック機構によりロック（位置が固定）されるように構成されている。そして、各ロック機構は、収納された状態の棺台レール４０を引き出す際には、取手４７の横に付設された解除ボタン４８によりロックが解除され、引き出された状態の棺台レール４０を押し戻す際には、棺台レール４０の後端面４１ａに設けられた解除操作部４９の操作によりロックが解除されるように構成されている。
【００４８】
以上のような構成の棺台レール４０を備える棺台１によれば、棺台レール４０の前後方向の移動、およびローラ４２の回転によって、棺を滑らせながら、棺台１に対する棺の積み降ろし作業が行われる。
【００４９】
また、本実施形態の棺台１においては、棺台レール４０の前方における所定の位置に、棺台レール４０のローラ４２と同様に棺台１上に載せられた棺の底面に接触して棺の搬入・搬出を補助するローラ２８が設けられている。つまり、ローラ２８は、移動部である棺台レール４０に対して車両側に固定された部分である基部５０に設けられている。ローラ２８は、棺台レール４０のローラ４２と同様に、長手方向を回転軸方向とする円柱状ないし棒状の部材であり、棺台１の表面３０ａに対して上端部を突出させた状態で設けられる。本実施形態では、１つのローラ２８が設けられている。
【００５０】
ローラ２８は、土台部２０において棺台レール４０を支持する左右の第２縦枠材２３に対して後側に連設される一対の支持フレーム２９間に架設された状態で図示せぬ軸支部によって回転自在に支持されている（図５参照）。支持フレーム２９は、第２縦枠材２３と同様にＬ字状の横断面形状を有する直線状の山形鋼であり、起立した状態となる帯板状の部分同士を対向させる向きに設けられ、その互いに対向する板状部分間に、ローラ２８を回転自在に支持する。
【００５１】
以上のように、本実施形態の棺台１は、棺台１上に載せられる棺の底面に接触するローラとして、棺台レール４０に設けられる５本のローラ４２、及び基部５０に設けられる１本のローラ２８の合計６本のローラを有する。これら６本のローラの上端は、所定の仮想平面に位置し、この仮想平面の高さ位置が、棺台１における棺の載置面の高さ位置となる。
【００５２】
以上のように、本実施形態の棺台１は、棺搬送車１０側に固定された状態で設けられる基部５０と、基部５０に対してレール構造によって水平方向にスライド移動可能に設けられた移動部としての棺台レール４０とを有し、棺台レール４０が溝部５０ａに収納された状態で、基部５０および棺台レール４０によって平面視で略矩形状の外形をなす。そして、棺台レール４０は、略矩形状である棺台１の平面視外形における短手方向の中間部において所定の幅を有しながら棺台１の平面視外形の長手方向の中途部までの範囲を占めるように設けられるとともに、水平方向のスライド移動によって棺台１の平面視外形の長手方向の一側（後側）から突出するように設けられている。
【００５３】
このような構成を備える棺台１においては、表面部３０のうち基部５０の部分は、図２に示すように、棺台レール４０の左右両側の部分であって前後方向を長手方向とする矩形状の部分である左右側部３０ｘと、棺台レール４０よりも前側の部分であって矩形状の部分である前部３０ｙとを有し、これら左右側部３０ｘおよび前部３０ｙにより平面視でＵ字形状ないしコ字形状をなす。このような形状をなす基部５０の表面部３０は、その平面視形状に沿う複数の板状部材あるいはシート状部材の積層構造（以下「表面部積層構造」という。）により構成されている。つまり、本実施形態の棺台１において、表面部積層構造は、平面視で前後方向を長手方向とする長方形状の外形をなす棺台レール４０を除いた、平面視でＵ字形状ないしコ字形状となる部分の表面部３０を構成する。
【００５４】
棺台１が備える表面部積層構造について説明する。表面部積層構造は、下から順に、積層合板３１、化粧板３２、透明板３３が積層された構造である。これらの積層合板３１、化粧板３２、および透明板３３は、平面視で相重なるように略同じ平面視形状および寸法を有する。具体的には、積層合板３１、化粧板３２、および透明板３３は、基部５０の表面部３０の平面視形状に沿うように、左右側部３０ｘおよび前部３０ｙのそれぞれに対応する部分を有し、平面視でＵ字状ないしコ字状をなす形状を有する。積層合板３１、化粧板３２、および透明板３３は、例えばこれらを板厚方向に貫通するボルト等の締結具５３等によって積層された状態で互いに固定される（図３参照）。
【００５５】
積層合板３１は、例えば、木製の単板が積層・接着されたいわゆる単板積層材である。積層合板３１の厚さは、例えば１２ｍｍ程度である。積層合板３１は、棺台１の土台部２０を構成する複数の第２横枠材２４上に載置固定された状態で設けられる。
【００５６】
透明板３３は、例えば、透明な強化アクリル板である。透明板３３の厚さは、積層合板３１よりも薄く、例えば５ｍｍ程度である。透明板３３は、積層合板３１上に化粧板３２を介して設けられる。
【００５７】
本実施形態の棺台１において、透明板３３は、棺が載せられる上側の表面部３０を構成するとともに、所定の水平面として表面部３０の表面３０ａをなす透明板部を構成する部材である。なお、透明板３３としては、所望の強度を有する透明な板状部材であれば、強化アクリル板に限定されることなく、他の樹脂材料や強化ガラス等からなる板状部材であってもよい。
【００５８】
化粧板３２は、積層合板３１と透明板３３との間に介装される。化粧板３２は、例えば、フェノール樹脂等の基材の表面に、高圧メラミン層や、アルミ・ステンレス・銅等の金属箔を積層した高圧メラミン化粧板やメタル化粧板等と称されるものである。化粧板３２は、高圧メラミン層や金属箔が積層された表面側を反射面３２ａとし、その反射面３２ａ側を上側（透明板３３側）として設けられる。反射面３２ａは、金属面や鏡面等として形成される。化粧板３２の厚さは、積層合板３１および透明板３３よりも薄く、例えば１ｍｍ程度である。化粧板３２は、例えば、透明板３３の下側の面に接着剤等によって張り付けられて設けられる。
【００５９】
また、表面部積層構造には、上述したように棺台レール４０の前方に設けられるローラ２８を棺台１の表面側に露出させるための開口部３０ｔが形成されている。開口部３０ｔは、表面部積層構造を構成する積層合板３１、化粧板３２、および透明板３３の各板におけるローラ２８の配置に対応する位置に形成された開口により形成される。
【００６０】
以上のように積層合板３１、化粧板３２、および透明板３３の３層からなる表面部積層構造は、棺台レール４０が収納される溝部５０ａの周囲、および棺台１の左右方向の両外側において、土台部２０を構成する部材との間に所定の隙間を形成する。具体的には次のとおりである。
【００６１】
表面部積層構造は、棺台レール４０が収納される溝部５０ａの周囲における隙間として、溝部５０ａを形成する第２縦枠材２３の縦板部２３ｂの上端部、および前壁部材２５の上端部との間に隙間５１を形成する（図３参照）。この隙間５１は、溝部５０ａの平面視形状に沿うように配された帯板状の板状部材であるフラットバー５２により上側から覆われている。フラットバー５２は、その一部が表面部積層構造の上面、つまり表面部３０の表面３０ａとなる透明板３３の上面３３ａに重なるように設けられており、表面部積層構造を貫通する締結具５３により表面部積層構造に固定されている。
【００６２】
また、表面部積層構造は、その左右両側の側面３０ｓに対向する第１縦枠材２１の縦板部２１ｂの内側面２１ｃとの間に隙間を形成する。かかる隙間は、被覆材５４によって上側から覆われることで、棺台１の長手方向の全体に渡る縁部空間５５を形成する。被覆材５４は、Ｌ字状の横断面形状を有する直線状の山形鋼（アングル）であり、棺台１の（土台部２０の）長手方向の全長に略一致する長さを有する。被覆材５４は、例えばプラスチック等の樹脂製やステンレス鋼等の金属製の部材である。
【００６３】
被覆材５４は、横断面形状のＬ字における一辺側の帯板状の部分であって水平面に沿う横板部５４ａと、Ｌ字における他辺側の帯板状の部分であって鉛直面に沿う縦板部５４ｂとからなる。被覆材５４は、横板部５４ａ側を下側として、縦板部５４ｂを第１縦枠材２１の縦板部２１ｂの内側面２１ｃに沿わせた状態で、表面部積層構造の側面３０ｓと第１縦枠材２１の内側面２１ｃとの間の隙間を上側から覆う。被覆材５４は、縦板部５４ｂの部分が第１縦枠材２１の縦板部２１ｂの部分に対してボルト等の締結具５６等によって固定されることで、第１縦枠材２１に支持される。
【００６４】
したがって、棺台１の表面部３０において左右両外側の辺部に沿う縁部空間５５を形成する面には、表面部積層構造の外側の側面３０ｓと、第１縦枠材２１の縦板部２１ｂの内側面２１ｃと、被覆材５４の横板部５４ａの下側面５４ｃと、複数の第２横枠材２４の上面２４ａとが含まれる（図７参照）。ただし、第２横枠材２４の上面２４ａは、縁部空間５５に対して棺台１の長手方向について複数箇所で部分的に面する。
【００６５】
以上のように棺台１の表面側の左右両外側に設けられた縁部空間５５内に、ＬＥＤ（Light Emitting Diode）ライト６０が設けられている。ＬＥＤライト６０としては、縁部空間５５の長手方向の全体にわたって適宜間隔を隔てて配置される複数の光源が設けられる。
【００６６】
ＬＥＤライト６０は、縁部空間５５に面する表面部積層構造の外側の側面３０ｓ、特に側面３０ｓを形成する透明板３３の側面３３ｓに向けて光を照射するように設けられる。ＬＥＤライト６０は、縁部空間５５に面する被覆材５４の下側面５４ｃや第１縦枠材２１の内側面２１ｃに対して例えばボルト等の締結具を用いた方法等の適宜の方法によって固定されることで、縁部空間５５内において所定の位置に支持される。ＬＥＤライト６０は、図示せぬ所定の電源から電気の供給を受けて点灯する。
【００６７】
このように表面部積層構造の左右両外側において形成される縁部空間５５に設けられるＬＥＤライト６０が、本実施形態の棺台１において、透明板３３の側方に設けられ、透明板３３の側面３３ｓに向けて光を照射する光源部である。
【００６８】
本実施形態では、光源部であるＬＥＤライト６０として、帯状の基材６１に複数の光源６２が配設されたテープライト（ＬＥＤテープライト）が用いられている。ＬＥＤテープライトは、例えば、一または複数のＬＥＤが装着された数ミリ角のＬＥＤチップ（光源６２）が、幅１ｃｍ程度のテープ状の基盤である基材６１に所定のピッチで多数配設され、電源に接続されるリード線が所定の位置に設けられた構造を有する。このようなＬＥＤテープライトが、縁部空間５５内において、その長手方向（棺台１の長手方向）の略全範囲にわたって、光の照射面側を表面部積層構造の側面３０ｓ側に向けて、光源６２を透明板３３の側面３３ｓに対向させるように設けられている。なお、ＬＥＤライト６０としては、ＬＥＤテープライトに限らず、表面部積層構造を構成する透明板３３の側方において配設される複数のＬＥＤ等の光源であってもよい。
【００６９】
また、本実施形態では、ＬＥＤライト６０は、表面部積層構造の左右外側の側方に設けられているが、これに限定されず、例えば、棺台レール４０が収納される溝部５０ａの周囲に沿うように隙間５１内に設けられたり、表面積層構造の前側あるいは後側の辺部に沿うように適宜空間を形成してその空間内に設けられたりしてもよい。つまり、ＬＥＤライト６０は、表面部積層構造を構成する透明板３３の左右両外側、内側（溝部５０ａの形状に沿う側）、前側、後側の少なくともいずれかの側面に向けて光を照射することができる適宜の位置に設けられる。
【００７０】
以上のような構成を備える本実施形態の棺台１において得られる作用・効果について説明する。本実施形態の棺台１において、ＬＥＤライト６０が点灯されると、透明板３３の側面３３ｓから入射したＬＥＤライト６０の光は、透明板３３内を透過・屈折して化粧板３２の反射面３２ａにより反射されて反射面３２ａに映り込んだ状態となる。これにより、図８に示すように、基部５０の表面部３０においては、ＬＥＤライト６０の各光源が映り込んだ反射像６０ａ（図において白抜き部分で示す）が形成されるとともに、表面部３０の表面３０ａつまり透明板３３の上面３３ａが全体的に光る状態が得られる。かかる状態によれば、棺台１の表面部３０において深さ方向（下向きの方向）に奥行きがあるような視覚的な効果が得られる。
【００７１】
このように、本実施形態の棺台１においては、表面部積層構造を構成する化粧板３２は、透明板部としての透明板３３の下側に設けられ、透明板３３を透過したＬＥＤライト６０からの光を反射させる反射面３２ａを形成する反射面部として機能する。
【００７２】
以上のような構成を備える本実施形態の棺台１によれば、比較的シンプルな構成でコストをあまりかけることなく、棺台１および棺台１が搭載された車両内（棺搬送車１０内）において視覚的に高い演出効果を得ることができる。特に、棺台１が霊柩車としての棺搬送車１０に搭載される場合、ＬＥＤライト６０が映り込んだ反射像６０ａや透明板３３の上面３３ａ（表面部３０の表面３０ａ）の全体的な発光等による光と闇の視覚的な効果によって、死者を弔う際に相応しい荘厳で幻想的な雰囲気を演出することが可能となる。
【００７３】
また、本実施形態の棺台１においては、ＬＥＤライト６０は、帯状の基材６１に複数の光源６２が配設されたテープライトであり、透明板３３の側面３３ｓに対向するように設けられている。このような構成を採用することにより、安価で簡単な構成によって、透明板３３の側面３３ｓに沿って複数の光源を所定の間隔で配設することが容易に可能となる。また、ＬＥＤテープライトとして、例えば、複数の光源６２を所定のタイミングで点滅させたり経時的に光を変色させたりといった発光の制御が可能なものを採用することで、より高い演出効果を得ることができる。この場合、ＬＥＤテープライトのリード線が上記のような発光の制御を行うための制御部および電源部に接続されることになる。
【００７４】
また、本実施形態の棺台１は、上述したように透明板３３により表面部３０が構成される基部５０と、基部５０に対してスライド移動可能に設けられた移動部としての棺台レール４０とを有するとともに、基部５０および（溝部５０ａに収納された状態の）棺台レール４０によって平面視で略矩形状の外形をなす。そして、棺台レール４０が、棺台１の略矩形状の平面視外形における短手方向の中間部において所定の幅を有しながら同平面視外形の長手方向の中途部までの範囲を占めるように設けられている。
【００７５】
このような構成によれば、例えば棺台レールが棺台の長手方向の略全体の範囲にわたって設けられている構成と比べて、基部５０における表面部３０の表面３０ａの面積を大きくすることが可能となる。つまり、棺台レール４０が棺台１の前端から表面部３０の前部３０ｙを隔てた位置から後側に設けられているため、上記構成と比べて、前部３０ｙが存在する分、表面部３０の表面３０ａの面積が大きくなる。これにより、上述したような視覚的な効果を発揮する部分を広くすることができるので、棺台１全体としてより高い演出効果を得ることが可能となる。
【００７６】
［棺台の第２実施形態］
棺台の第２実施形態について、図９および図１０を用いて説明する。なお、第１実施形態と共通する部分については同一の符号を用いて適宜説明を省略する。なお、図１０（ａ）は本実施形態に係る表面部積層構造の分解斜視図であり、同図（ｂ）は本実施形態に係る棺台の作用についての説明図である。
【００７７】
図９および図１０に示すように、本実施形態の棺台においては、透明板３３と化粧板３２との間に、所定の模様８１が描かれた装飾部材８０が介装されている。装飾部材８０は、模様８１が描かれた面が上側（透明板３３側）となるように設けられる。
【００７８】
装飾部材８０は、例えば、一側の面に模様８１が描かれたステッカー等のシート状の部材であり、化粧板３２の上側の面である反射面３２ａに張り付けられて設けられる。装飾部材８０は、表面部積層構造の全体においてＬＥＤライト６０からの光の化粧板３２の反射面３２ａへの映り込みを妨げることがないように設けられる。したがって、装飾部材８０としては、模様８１以外の部分が透明なものや、模様８１の形状に沿ったシート形状のものや、模様８１の部分においても光を透過させるもの等が適宜採用される。
【００７９】
このように表面部積層構造において透明板３３と化粧板３２との間に装飾部材８０が介装された構成によれば、図１０（ｂ）に示すように、ＬＥＤライト６０からの光によって反射像６０ａが形成されるとともに透明板３３が全体的に光ることで、透明板３３の表面部に模様８１を浮かび上がらせることができる。これにより、外観意匠性の向上を図ることができ、より高い演出効果を得ることができる。ここで、例えば、装飾部材８０として、模様８１を蛍光塗料や発光塗料等によって形成したものを採用することで、ＬＥＤライト６０からの光の作用によって模様８１を際立たせることが可能となり、さらに高い演出効果が期待できる。
【００８０】
なお、上述した実施形態に係る棺台１は、車両側に固定される基部５０に対して移動可能な棺台レール４０を備える構成であるが、これに限定されず、棺台レール４０を備えない構成であってもよい。この場合、棺台の表面部３０を構成する表面部積層構造は、棺台の全体的な平面視形状と同様に略矩形状の平面視形状をなすことになる。
【符号の説明】
【００８１】
１      棺台
１０    棺搬送車
３０    表面部
３０ａ  表面（水平面）
３２    化粧板（反射面部）
３２ａ  反射面
３３    透明板（透明板部）
４０    棺台レール（移動部）
５０    基部
６０    ＬＥＤライト（光源部）
８０    装飾部材
８１    模様
【図１】
0003189817.tif 000003
【図２】
0003189817.tif 000004
【図３】
0003189817.tif 000005
【図４】
0003189817.tif 000006
【図５】
0003189817.tif 000007
【図６】
0003189817.tif 000008
【図７】
0003189817.tif 000009
【図８】
0003189817.tif 000010
【図９】
0003189817.tif 000011
【図１０】
0003189817.tif 000012